(57)【特許請求の範囲】
【請求項１】
下水等の汚物を曝気槽の活性汚泥により生物処理を行い、余剰汚泥を脱水処理する汚泥の脱水処理方法において、曝気槽から余剰汚泥を引き抜いて直接汚泥脱水機に供給汚泥濃度を一定にして導くようにするとともに、水処理設備への過去１週間〜１カ月の１日当たりの積算処理水量の平均値に応じて汚泥脱水機の運転時間を設定することを特徴とする汚泥の脱水処理方法。
【発明の詳細な説明】
【０００１】
【発明の属する技術分野】
本発明は、汚泥の脱水処理方法、特に余剰汚泥の発生量が比較的少ない小規模の汚水処理施設において、余剰汚泥の脱水を人手をかけることなく行い、運転管理が容易で、安定した脱水性能を得る汚泥の脱水処理を行う汚泥の脱水処理方法に関するものである。
【０００２】
【従来の技術】
従来、地方の小町村における小規模処理場においては、オキシデーションディッチ等の設備を設けて家庭から排出される汚水の処理をしているが、この処理場から発生する余剰汚泥は該小規模処理場内で濃縮だけを行い、その後他の大規模処理場に移送し、ここで一括処理している。
【０００３】
【発明が解決しようとする課題】
上記従来の汚泥の脱水処理方法においては、小規模処理場で発生する余剰汚泥量も少なく、従って汚泥脱水機の運転管理が容易ではなく、また前段の汚泥濃縮槽の規模が小さくなる程、性能が不安定となるという問題点があった。
本発明は、上記従来の汚泥の脱水処理方法の有する問題点を解決し、小規模の汚水処理施設においても運転処理が簡易で安定した脱水性能が得られるとともに、水処理性能に対しても悪影響を及ぼすことのない汚泥の脱水処理方法を提供することを目的とする。
【０００４】
【課題を解決するための手段】
上記目的を達成するため、本発明の汚泥の脱水処理方法は、下水等の汚物を曝気槽の活性汚泥により生物処理を行い、余剰汚泥を脱水処理する汚泥の脱水処理方法において、曝気槽から余剰汚泥を引き抜いて直接汚泥脱水機に供給汚泥濃度を一定にして導くようにするとともに、水処理設備への過去１週間〜１カ月の１日当たりの積算処理水量の平均値に応じて汚泥脱水機の運転時間を設定することを特徴とする。
【０００５】
上記の構成からなる本発明の汚泥の脱水処理方法においては、小規模の汚水処理施設においても運転処理が簡易で安定した脱水性能が得られるとともに、水処理性能に対しても悪影響を及ぼすことがない。
【０００６】
【発明の実施の形態】
以下、本発明の汚泥の脱水処理方法の実施の形態を図面に基づいて説明する。
図１は本発明を適用する汚水処理設備の処理フローを示したもので、該図において１は前処理装置、２はこの前処理装置１に流入管７を介して接続した曝気槽で、この曝気槽２は長円形で中央長手方向に仕切板２１を配設して循環水路２２を形成するとともに、この循環水路２２内に１台若しくは複数台の曝気機６を配設する。
【０００７】
３は沈殿槽で、流出管８を介して前記曝気槽２と接続するとともに、この沈殿槽３から曝気槽２に返送汚泥管９をも配設する。４は沈殿槽３から流出する上澄水を導くように配設した消毒槽で、この消毒槽４の後段に流量計１１を設けるとともに、この流量計１１に制御装置１０を電気的に接続し、水量計１１の検出値を制御装置１０に印可し、脱水機５を制御する。これは小規模処理設備における汚泥の発生量が流入水量にほぼ比例することから、流入水量を計測する流量計を別途設け、流量計の測定値から算出される１日当たりの積算処理水量に比例する時間だけ汚泥脱水機を運転するように制御するものである。
【０００８】
この脱水機５には汚泥貯留タンクを備え、曝気槽２よりポンプ１２を介して余剰汚泥をこの汚泥貯留タンクへ供給するよう送泥管１３を配設する。この脱水機への供給汚泥濃度を一定にして、安定した脱水性能を確保するため曝気槽から直接余剰汚泥を引き抜いて脱水を行う。
【０００９】
上記により、発生汚泥量に見合っただけの余剰汚泥を脱水処理するため、曝気槽の汚泥混合液（ＭＩＳＳ）の濃度が安定化し、これによって脱水機に供給する汚泥濃度の日変動も小さくなるため、供用開始から計画流入水量に達するまでの間においても、負荷変動に係わらず水処理性能、及び脱水処理性能の安定化が図られる。
【００１０】
従って上述のように構成する処理装置において、下水等の有機性汚水Ａは前処理装置１を経て曝気槽２へと流入する。本実施例においてこの曝気槽２は、スクリュー形曝気機６を配備したオキシデーションディッチを示しているが、曝気機の形状や曝気装置は特に限定されるものではない。
【００１１】
曝気槽２へ供給された汚泥混合液は、曝気槽内で所要の曝気が行われるとともにオーバーフローして沈殿槽３へ流入し、ここで汚泥混合液中の汚泥が沈降した後、その一部を返送汚泥Ｃとして曝気機２に戻され、上澄水はオーバーフローして消毒槽４へ導かれここで殺菌処理された後、放流水Ｂとして系外に排出される。
また流量計１１は、消毒槽４の後段に設け、消毒層の放流流量の計測用に用いているが、流量系の種類や条件によっては、流入配管や消毒槽への流入部など、別の位置に設けることも可能である。さらに余剰汚泥Ｄは、曝気槽２から直接引き抜き、給泥ポンプ１２により汚泥脱水機５に内蔵された汚泥貯留タンクへと送泥する。
【００１２】
尚、給泥ポンプ１２は、図示したような槽外形に限定されず、水中形のポンプを用いることも可能で、また、脱水機の運転指令を与えるための制御装置１０は、流量計１１の測定データのとり込みや演算機能等を有する。給泥ポンプ１２は通常、脱水機５に組み込まれた専用の制御盤により制御されるが、この専用の制御盤の機能をすべて制御装置１０に組み込み、脱水機付属の専用制御盤をなくすことも可能である。そして脱水機５にて脱水処理された脱水ケーキＥは、所定の期間場内に貯留された後、場外に搬出される。
【００１３】
次に、本発明の汚泥の脱水処理方法の作用を説明する。
小規模の汚水、特に下水においては、流入水量が計画値に達するまで少なくとも１年以上の期間を要することから、安定した処理性能を保つためには、流入水量に応じて適宜運転時間を変更していく必要がある。本発明では、経時的に変化する水量を流量計１１で測定し、制御装置１０に入力される。
【００１４】
制御装置内に設けられた演算装置では、１日の流量の合計が積算され、この積算流量ｑと、計画流入水量Ｑの比ｒ（=ｑ／Ｑ）が求められる。次にこのｒをもとに、１日当たりの脱水機の運転時間が計算される。尚、脱水条件は予め定めておき、単位時間当たりの処理量が一定となるよう設定する。
【００１５】
次に、流入水の濃度や水処理の運転条件から、計画流入水量における脱水機の必要運転時間をＴとすると、積算流量がｑにおける脱水機の運転時間ｔは、ｔ=ｒＴとなる。ただし、実際にはｑがある程度の幅の中でバラツキをもちながら、除々に増加していくため、日々変化するｑに対して、ｔを設定変更する必要はないため、１週間〜１カ月程度退き管におけるｑの平均値を求め、この値をもとに、次の期間のｔを設定変更することが好ましい。
【００１６】
タイマーの時間設定は、積算機能を備えた流量計の値をもとに上記計算を手計算または、制御装置内の演算装置によりｔを求めた後、手動でタイマーを設定しても良いが、制御装置内蔵のタイマーを自動で変更できる装置とすることがより望ましい。
【００１７】
尚、汚泥脱水機の種類は特に限定されないが、少なくとも運転開始及び運転停止の信号さえ与えれば、自動で運転でき、小規模で低濃度のＭＬＳＳ濃度においても安定した処理性能が得られる装置を用いる必要がある。また、安定した脱水性能を得るためには攪拌混合されている時間帯に行う。したがって、曝気機を間欠運動する設備においては、計画流入水量時の脱水機の運転を１日複数回行うように分割し、すべての運転が曝気時間帯に行われるよう設定する必要がある。
【００１８】
【発明の効果】
本発明の汚泥の脱水処理方法によれば、汚泥濃度が安定している曝気槽から余剰汚泥を引き抜いて直接汚泥脱水機に供給汚泥濃度を一定にして導くようにするとともに、水処理設備への過去１週間〜１カ月の１日当たりの積算処理水量の平均値に応じて汚泥脱水機の運転時間を設定して水量に比較する時間だけ脱水処理を行うため、発生汚泥量に見合った汚泥が余剰汚泥として引き抜かれて、安定した脱水性能を保持できるとともに、曝気槽のＭＬＳＳ濃度の安定が図られるため供用開始から計画流入水量に達する間においても、負荷変動に係わらず安定した水処理性能が得られる。
【図面の簡単な説明】
【図１】  本発明の汚泥の脱水処理方法の第１実施例を示す処理フロー図である。
【符号の説明】
１    前処理装置
２    曝気槽
３    沈殿槽
４    消毒槽
５    汚泥脱水機
６    曝気機
１０  制御装置
１１  流量計
１２  給泥ポンプ
【図１】
0003654742.tif 000002